(57)【要約】      （修正有）【課題】微細化効率の向上、効能の持続、垢の防止やさびの除去、コスト削減、及び実施の便利性向上を達成する水分子微細化循環装置を提供する。【解決手段】貯水槽と、モータと、ウォータハッカーとを含む。貯水槽内に水を収容し、貯水槽の周囲に第１配管、第２配管、給水管及び排水管がそれぞれ接続され、水の輸送を行う。モータの一端は、第１配管を介して貯水槽に接続され、貯水槽内に収容されている水を吸い取るとともに、吸い取った水をモータの他端に接続された配管から輸出させる。ウォータハッカーの一端は、配管を介してモータに接続され、モータから輸出された水を微細化処理し、ウォータハッカーの他端は、第２配管を介して貯水槽に接続され、微細化処理された水を貯水槽内に輸送する。【選択図】図１
0003155834.tif 000002
【実用新案登録請求の範囲】
【請求項１】
槽内に水を収容し、槽の周囲に水の輸送を行うための第１配管、第２配管及び排水管がそれぞれ接続された貯水槽と、
一端は第１配管を介して前記貯水槽に接続され、前記貯水槽内に収容されている水を吸い取るとともに、吸い取った水を他端に接続された配管から輸出させるモータと、
一端は配管を介して前記モータに接続され、前記モータから輸出された水を微細化処理し、他端は第２配管を介して前記貯水槽に接続され、微細化処理された水を前記貯水槽内に輸送するウォータハッカーとを含み、
前記貯水槽内に収容されている水は、前記モータにより前記ウォータハッカーに輸送され、その後、前記貯水槽に返送することで循環微細化処理を形成することを特徴とする水分子微細化循環装置。
【請求項２】
前記貯水槽は、さらに、微細化処理されない原水の供給のための給水管に接続されることを特徴とする請求項１に記載の水分子微細化循環装置。
【請求項３】
前記排水管は、前記貯水槽内の水を排出するためのものであることを特徴とする請求項１に記載の水分子微細化循環装置。
【請求項４】
前記排水管は、さらに、水処理装置に接続されることを特徴とする請求項１に記載の水分子微細化循環装置。
【請求項５】
前記水処理装置は、ボイラー、冷却水タンク、熱交換器のうちの一つであることを特徴とする請求項４に記載の水分子微細化循環装置。
【請求項６】
前記ウォータハッカーは、粒子衝突型加速器、電解水生成器、赤外線活水器、バイオセラミック活水器、エネルギー活水器、磁気活水器のうちから選ばれた一つであることを特徴とする請求項１に記載の水分子微細化循環装置。
【考案の詳細な説明】
【技術分野】
【０００１】
本考案は水分子微細化循環装置に係り、特に、貯水槽と、モータと、ウォータハッカーとを含み、配管を介してそれぞれの部材同士を接続して循環可能な輸送配管を形成し、微細化効率向上、効能持続、垢の防止やさびの除去、コスト削減、及び実施便利の効果を有し、生活用水または工業用水に適合する水分子微細化循環装置に関するものである。
【背景技術】
【０００２】
水は自然界に存在する物質のひとつであるが、汚染し易く、少ない特別な場合を除いて、殆どがきれいな水ではないので、何らかの形の処理を経たなければ、人に飲用または工業上の生産に使用できないのである。
【０００３】
飲用水の浄化処理については、蒸留または逆浸透原理により純水を製造することは知られている。上記の方法で得られた純水は、消毒や殺菌が行われておらず、且つ、一般に水が持つべく鉱物質が存在しないため、長期に亘って飲むと栄養失調の恐れがある。そのため、近時、業者は、水分子微細化工程に着目し始めている。１つの水分子は、１つの酸素原子と２つの水素原子とで構成される。水分子と水分子との間にも水素結合が形成され、これらの水素結合同士が結合して水分子クラスターが形成される。水分子微細化は、水素結合を外力で破壊して水分子クラスターの体積を小さくさせ、小さい体積を有することでより高い浸透力を持たせて、人体に吸収し易くなり、新陳代謝を促進する。さらに、微細化された水分子クラスターは、高復元力、高界面活性化及び高酸素現象を有するので、清潔（垢の防止やさびの除去）、殺菌の効果を向上できる。
【０００４】
図５を参照すると、市販されている水分子微細化装置は、貯水槽Ａと、モータＢと、ウォータハッカーＣとを含む。該貯水槽Ａ内の水は、モータＢによりウォータハッカーＣに輸送され、微細化処理してから輸出して使用されるようになっている。しかし、該水分子微細化装置は、以下の欠点を有する。
（１）微細化効果は最適でなく、微細化効率も高くない。
（２）微細化された水分子クラスターは、一定の時間で静止して置くと再び結合されてしまい、微細化された前の状態に復元され、長く維持できない。
このようなことから、どうすれば微細化効率を向上し、微細化された水分子クラスターを長期間に亘って維持でき、最大の生産効率を達することは、明らかに業者が努力し続けなければならない課題となっている。
【０００５】
本考案は以上の点に鑑みて成されたもので、本考案は、微細化効率が高く、効能を持続でき、且つ実施に便利な水分子微細化循環装置を提供するものである。さらに本考案はコストを低下し、稼働率を改善できる水分子微細化循環装置を提供するものである。
【考案の概要】
【考案が解決しようとする課題】
【０００６】
本考案の主な目的は、貯水槽が第１配管を介してモータに接続し、モータが配管を介してウォータハッカーに接続し、また、ウォータハッカーが第２配管を介して貯水槽に接続することによって、循環的な微細化処理の設計を形成し、微細化効率向上、効能持続、垢の防止やさびの除去、コスト削減、及び実施便利の効果を有し、ひいては、本考案の実用性、進歩性及び便利性を向上させる水分子微細化循環装置を提供することにある。
【課題を解決するための手段】
【０００７】
前記目的を達成するため、本考案による水分子微細化循環装置は、貯水槽と、モータと、ウォータハッカーとを含む。前記貯水槽内に水を収容し、前記貯水槽の周囲に第１配管、第２配管、給水管及び排水管がそれぞれ接続され、水の輸送を行い、前記モータの一端は、第１配管を介して前記貯水槽に接続され、前記貯水槽内に収容されている水を吸い取るとともに、吸い取った水を前記モータの他端に接続された配管から輸出させ、前記ウォータハッカーの一端は、配管を介して前記モータに接続され、前記モータから輸出された水を微細化処理し、前記ウォータハッカーの他端は、第２配管を介して前記貯水槽に接続され、微細化処理された水を前記貯水槽内に輸送する。よって、コスト低下や、微細化効率向上、効能持続、垢の防止やさびの除去、及び実施便利の効果を有し、実用性、進歩性及び便利性を確かに備えている。
【０００８】
以下に本考案に関る詳細な説明及び添付した図面を参照すれば、本考案の特徴、特点及び技術内容をより深く理解できるが、添付した図面は、参考や説明のみに提供されるものであって、本考案を限定するものではない。
【図面の簡単な説明】
【０００９】
【図１】図１は、本考案による第１実施例の構造を示す図である。
【図２】図２は、本考案による第１実施例の使用状態を示す図である。
【図３】図３は、本考案による第２実施例の構造を示す図である。
【図４】図４は、本考案による第２実施例の使用状態を示す図である。
【図５】図５は、従来の構造を示す図である。
【考案を実施するための形態】
【００１０】
図１は、本考案による第１実施例の構造を示す図である。図１に示すように、水分子微細化循環装置は、貯水槽１０と、モータ２０と、ウォータハッカー３０とを含む。
【００１１】
貯水槽１０内に水を収容し、貯水槽１０の周囲に第１配管１１１、第２配管１１２、給水管１１３（実際に実施する時に、給水管１１３を使用せず、人工給水の方式であっても良い）及び排水管１１４がそれぞれ接続され、水の輸送を行い、給水管１１３は、微細化処理されない原水（本装置の外部から供給された微細化処理されない水）の供給に使用され、排水管１１４は、貯水槽１０内の水の輸出に使用される。
【００１２】
モータ２０の一端は、第１配管１１１を介して貯水槽１０に接続され、貯水槽１０内に収容されている水を吸い取るとともに、吸い取った水をモータ２０の他端に接続された配管２１から輸出させる。
【００１３】
ウォータハッカー３０（粒子衝突型加速器、電解水生成器、赤外線活水器、バイオセラミック活水器、エネルギー活水器、磁気活水器のうちから選ばれた一つ）は、その一端が、配管２１を介してモータ２０に接続され、モータ２０から輸出された水を微細化処理し、ウォータハッカー３０の他端は、第２配管１１２を介して貯水槽１０に接続され、微細化処理された水を貯水槽内１０に輸送する。
【００１４】
図２は、本考案による第１実施例の使用状態を示す図である。図２に示すように、使用時に、貯水槽１０内に原水を所要の量まで供給するとともに、モータ２０とウォータハッカー３０とを起動する。この時、モータ２０は、貯水槽１０に接続された第１配管１１１を介して貯水槽１０内の水を吸い取って、ウォータハッカー３０に接続された配管２１を介して水をウォータハッカー３０に輸送し微細化処理（衝突や、電解、活性化、磁化などの方式で、水分子クラスターの水素結合を破壊し、水分子クラスターの体積を小さくし）を行う。その後、微細化処理された水を貯水槽１０に接続された第２配管１１２を介して貯水槽１０内に返送する。さらに、モータ２０により貯水槽１０内の水を吸い取ってウォータハッカー３０に輸送して処理を行う。さらに、貯水槽内１０に返送することで循環微細化処理を形成し、水の微細化効率を向上させ、微細化された水分子クラスターを長期間に亘って維持でき、最大の生産効率を達成する。使用者は、水を飲みたいとき、或いは物を洗いたい場合に、貯水槽１０に接続された排水管１１４を介して水を出して使用できる。
【００１５】
図３は、本考案による第２実施例の構造を示す図である。図３に示すように、水分子微細化循環装置は、貯水槽１０と、モータ２０と、ウォータハッカー３０とを含み、そのうち、モータ２０及びウォータハッカー３０は、第１実施例と同じであるので、説明を省略する。
【００１６】
貯水槽１０の内部に水を収容している。貯水槽１０の周囲には第１配管１１１、第２配管１１２、給水管１１３（実際に実施する時に、給水管１１３を使用せず、人工給水の方式であっても良い）及び排水管１１４がそれぞれ接続されている。水の輸送用の給水管１１３は、微細化処理されない原水（本装置の外部から供給された微細化処理されない水）の供給に使用される。排水管１１４は、貯水槽１０内の水の輸出に使用される。また、排水管１１４は、さらに、水処理装置４０に接続される。水処理装置４０は、ボイラー、冷却水タンク、熱交換器のうちの何れか一つである。
【００１７】
図４は、本考案による第２実施例の使用状態を示す図である。図４に示すように、使用時に、貯水槽１０内に原水を所要の量まで供給するとともに、モータ２０とウォータハッカー３０とを起動する。この時、モータ２０は、貯水槽１０に接続された第１配管１１１を介して貯水槽１０内の水を吸い取って、ウォータハッカー３０に接続された配管２１を介して水をウォータハッカー３０に輸送し微細化処理（衝突や、電解、活性化、磁化などの方式で、水分子クラスターの水素結合を破壊し、水分子クラスターの体積を小さくし）を行う。その後、微細化処理された水を貯水槽１０に接続された第２配管１１２を介して貯水槽１０内に返送する。さらに、モータ２０により貯水槽１０内の水を吸い取って貯水槽内１０に返送することで循環微細化処理を形成する。貯水槽１０に接続された排水管１１４は、さらに、水処理装置４０（ボイラー、冷却水タンク、熱交換器のうちの一つ）に接続される。水処理装置４０に使用される水は、貯水槽１０から供給され、微細化処理される。そのため、水処理装置４０内部は、錆びや汚れが発生し難く、錆びや垢を防止する効果を有し、使用寿命が延長され、使用コストが低下される効果を達成できる。
【００１８】
本考案による水分子微細化循環装置は、貯水槽１０が第１配管１１１を介してモータ２０に接続し、モータ２０が配管２１を介してウォータハッカー３０に接続し、また、ウォータハッカー３０が第２配管１１２を介して貯水槽１０に接続することによって、循環的な微細化処理の設計を形成し、微細化効率向上、効能持続、垢の防止やさびの除去、コスト削減、及び実施便利の効果を有し、ひいて、本考案の実用性、進歩性及び便利性を向上させることを特徴とする。
【００１９】
以上の説明は、単に本考案の好ましい具体的な実施例に過ぎず、本考案の実用新案登録請求の範囲を局限するものではなく、いずれの当該分野における通常の知識を有する専門家が本考案の分野の中で、適当に変更や修飾などを実施できるが、それらの実施のことが本考案の範囲内に含まれるべきことは言うまでもないことである。
【符号の説明】
【００２０】
１０貯水槽
２０モータ
２１配管
３０ウォータハッカー
４０水処理装置
１１１第１配管
１１２第２配管
１１３給水管
１１４排水管
Ａ貯水槽
Ｂモータ
Ｃウォータハッカー
【図１】
0003155834.tif 000003
【図２】
0003155834.tif 000004
【図３】
0003155834.tif 000005
【図４】
0003155834.tif 000006
【図５】
0003155834.tif 000007